(57)【特許請求の範囲】
【請求項１】
表示パネルに駆動信号を供給するための駆動手段と、
該駆動手段を駆動するための、所定の基準電位に対して複数の異なる電位差を有する第１の複数の異なる電圧を供給する電源供給手段と、
複数のコンデンサが設けられたチャージポンプ回路を有し、前記第１の複数の異なる電圧が供給されて前記各電位差が前記各コンデンサに充電され、該各コンデンサ間の接続を切り換えることにより前記各電位差を加算または減算して、前記第１の複数の電圧と異なる第２の電圧を生成して前記駆動手段に供給する電圧生成手段と、
を備えたことを特徴とする表示駆動装置。
【請求項２】
前記電圧生成手段における前記チャージポンプ回路は、前記各コンデンサと前記第１の複数の異なる電圧間および該各コンデンサ間の接続を切り換えるための、電界効果型トランジスタにより構成されるスイッチ手段を備えることを特徴とする請求項１記載の表示駆動装置。
【請求項３】
前記電圧生成手段は、前記駆動手段と一体に形成されていることを特徴とする請求項１または２に記載の表示駆動装置。
【発明の詳細な説明】
【０００１】
【発明の属する技術分野】
本発明は、表示駆動装置に関し、特に、表示パネルを駆動する駆動手段に複数の電源電圧を供給する電圧供給手段を備えた表示駆動装置に関する。
【０００２】
【従来の技術】
近年、コンピュータや携帯情報端末等の情報通信機器の急激な普及に伴い、モニタやディスプレイとして、液晶表示装置（Liquid Crystal Display；ＬＣＤ）が多用されるようになってきている。
以下に、従来のアクティブマトリックス型液晶表示パネルを用いた液晶表示装置の表示駆動装置について、図面を参照して説明する。
図５に示すように、従来の液晶表示装置の概略構成は、大別して液晶表示パネル１０と、信号ドライバ（ソースドライバ）２０と、走査ドライバ（ゲートドライバ）３０と、ＲＧＢデコーダ４０と、ＬＣＤコントローラ５０と、電源供給回路６０とを有している。
【０００３】
液晶表示パネル１０は、概略、マトリクス状に配置された画素電極と、画素電極にソースが接続された薄膜トランジスタ（Thin Film Transistor；以下、ＴＦＴと略記する）と、マトリクスの行方向に延伸し、複数のＴＦＴのゲートに接続された走査ラインと、マトリクスの列方向に延伸し、複数のＴＦＴのドレインに接続された信号ラインと、画素電極に対向して配置された対向電極（共通電極）と、画素電極と対向電極の間に充填された液晶とを有して構成され、後述する信号ドライバ２０及び走査ドライバ３０により選択される画素電極に信号電圧を印加することにより、液晶の配列を制御して所定の画像情報を表示出力する。
【０００４】
信号ドライバ２０は、後述するＬＣＤコントローラ５０から供給される水平制御信号、水平制御クロックＣＫｈに基づいて、画像情報に対応する信号電圧を信号ラインを介して各画素電極に供給する。また、走査ドライバ３０は、ＬＣＤコントローラ５０から供給される垂直制御信号、垂直制御クロックＣＫｖに基づいて、各走査ラインに走査信号を順次印加して選択状態とし、上記信号ラインと交差する位置に配置された画素電極に、上記信号ラインに供給された信号電圧を印加する。
【０００５】
ＲＧＢデコーダ４０は、入力端子ＩＮに入力されるＮＴＳＣ標準やＰＡＬ標準等の色信号や、Ｙ色差、ＲＧＢ等の色成分を含む映像信号から、水平、垂直クロック信号（Ｈ、Ｖ）及び同期信号（ＣＳＹＮＣ）を生成、調整する処理を行い、ＬＣＤコントローラ５０に供給するとともに、入力端子ＩＮから入力される映像信号に含まれるＲＧＢ色成分信号を抽出して、例えば各８ビット幅のデジタルＲＧＢ信号に変換し、ＲＧＢ反転信号を信号ドライバ２０に供給する。
ＬＣＤコントローラ５０は、ＲＧＢデコーダ４０から供給される水平、垂直クロック信号（Ｈ、Ｖ）及び同期信号（ＣＳＹＮＣ）に基づいて、水平制御信号、水平制御クロックＣＫｈ、及び、垂直制御信号、垂直制御クロックＣＫｖを生成し、信号ドライバ２０及び走査ドライバ３０に各々供給することにより、所定のタイミングで画素電極に信号電圧を印加して、液晶表示パネル１０に所望の画像情報を表示させる制御を行う。
【０００６】
電源供給回路６０は、少なくとも、信号ドライバ２０及び走査ドライバ３０の駆動、液晶表示パネル１０の表示出力に必要な所定の駆動電圧及び信号電圧を供給する。
具体的には、図６に示すように、接地電位（０Ｖ）に負電極側が接続された個別の電源Ｖ１１、Ｖ１３、Ｖ１４、及び、正電極側が接続された電源Ｖ１２を有し、各々の電源電圧に基づいて設定される電圧ＶＧＨ、ＶＤＤ、ＶＳＨ、ＶＧＬ、及び、接地電位に相当する電圧ＶＳＳが、駆動電圧及び信号電圧として、信号ドライバ２０及び走査ドライバ３０に個別に供給されるようになっている。
【０００７】
ここで、電源Ｖ１１により供給される電圧ＶＧＨは、走査ドライバ３０により走査ラインを介して各ＴＦＴのゲートに印加されるゲートパルス（走査信号）のハイレベル側の信号電圧であり、電源Ｖ１２により供給される電圧ＶＧＬは、走査ラインを介して各ＴＦＴのゲートに印加されるゲートパルスのローレベル側の信号電圧である。
また、電源Ｖ１３により供給される電圧ＶＤＤは、信号ドライバ２０及び走査ドライバ３０における論理駆動電圧であり、電源Ｖ１４により供給される電圧ＶＳＨは、信号ドライバ２０の信号出力回路の駆動電圧である。
【０００８】
【発明が解決しようとする課題】
上述したように、従来の液晶表示装置の表示駆動装置においては、液晶表示パネル１０、及び、アナログドライバである信号ドライバ２０、走査ドライバ３０を駆動制御するために、接地電位を有する電圧ＶＳＳに対して、４種類の異なる電圧ＶＧＨ、ＶＤＤ、ＶＳＨ、ＶＧＬを必要としていた。
そのため、電源供給回路の縮小化や製品コストの低減を図ることが困難であるという問題を有していた。
そこで、本発明は、上述した問題を解決して、電源供給回路が備える電源の種類を削減し、当該回路の縮小化や製品コストの低減を図ることができる表示駆動装置を提供することを目的とする。
【０００９】
【課題を解決するための手段】
請求項１記載の表示駆動装置は、表示パネルに駆動信号を供給するための駆動手段と、該駆動手段を駆動するための、所定の基準電位に対して複数の異なる電位差を有する第１の複数の異なる電圧を供給する電源供給手段と、複数のコンデンサが設けられたチャージポンプ回路を有し、前記第１の複数の異なる電圧が供給されて前記各電位差が前記各コンデンサに充電され、該各コンデンサ間の接続を切り換えることにより前記各電位差を加算または減算して、前記第１の複数の電圧と異なる第２の電圧を生成して前記駆動手段に供給する電圧生成手段と、を備えたことを特徴とする表示駆動装置。
【００１１】
請求項２記載の表示駆動装置は、請求項１記載の表示駆動装置において、前記電圧生成手段における前記チャージポンプ回路は、前記各コンデンサと前記第１の複数の異なる電圧間および該各コンデンサ間の接続を切り換えるための、電界効果型トランジスタにより構成されるスイッチ手段を備えることを特徴としている。請求項３記載の表示駆動装置は、請求項１または２に記載の表示駆動装置において、前記電圧生成手段は、前記駆動手段と一体に形成されていることを特徴としている。
【００１２】
【発明の実施の形態】
以下、本発明に係る表示駆動装置の実施の形態について、図面を参照しながら説明する。
図１は、本発明に係る表示駆動装置の一実施形態を示す概略構成図であり、図２は、本実施形態に係る表示駆動装置に適用される電圧供給手段の構成を示す概略図である。ここで、上述した従来技術と同等の構成については、同一の符号を付してその説明を簡略化する。
図１に示すように、本実施形態に係る表示駆動装置は、アクティブマトリックス型の液晶表示パネル１０と、信号ドライバ２０と、走査ドライバ３０と、ＲＧＢデコーダ４０と、ＬＣＤコントローラ５０と、電源供給回路６０とを有し、かつ、図示を省略した単一の絶縁性基板上に、液晶表示パネル１０、信号ドライバ２０、走査ドライバ３０、ＬＣＤコントローラ５０、及び、チャージポンプ回路（電圧生成回路）７０が設けられ、表示モジュール１００を構成している。
【００１３】
上記液晶表示パネル１０、信号ドライバ２０、走査ドライバ３０、ＲＧＢデコーダ４０、及び、ＬＣＤコントローラ５０は、上述した従来技術と同等の構成を有している。
すなわち、液晶表示パネル１０は、マトリクス状に配置された画素電極及びＴＦＴと、行方向に延伸し、ＴＦＴのゲートに接続された走査ラインと、列方向に延伸し、ＴＦＴのドレインに接続された信号ラインと、画素電極に対向して配置された対向電極と、画素電極と対向電極の間に充填された液晶とを有して構成され、信号ドライバ２０及び走査ドライバ３０により選択される画素電極に信号電圧を印加することにより、所定の画像情報が表示出力される。
【００１４】
また、信号ドライバ２０は、ＬＣＤコントローラ５０からの水平制御信号、水平制御クロックＣＫｈに基づいて、信号ラインを介して各画素電極に所定の信号電圧を供給し、一方、走査ドライバ３０は、ＬＣＤコントローラ５０からの垂直制御信号、垂直制御クロックＣＫｖに基づいて、走査ラインに走査信号を順次印加して選択状態とし、上記信号ラインと交差する位置の画素電極に信号電圧を印加する。
【００１５】
ＲＧＢデコーダ４０は、入力端子ＩＮに入力される映像信号から、水平、垂直クロック信号（Ｈ、Ｖ）及び同期信号（ＣＳＹＮＣ）を生成、調整する処理を行い、ＬＣＤコントローラ５０に供給するとともに、映像信号に含まれるＲＧＢ色成分信号を抽出して、ＲＧＢ反転信号を信号ドライバ２０に供給する。
ＬＣＤコントローラ５０は、ＲＧＢデコーダ４０からの水平、垂直クロック信号（Ｈ、Ｖ）及び同期信号（ＣＳＹＮＣ）に基づいて、水平制御信号、水平制御クロックＣＫｈ、及び、垂直制御信号、垂直制御クロックＣＫｖを生成し、信号ドライバ２０及び走査ドライバ３０に各々供給することにより、所定のタイミングで画素電極に信号電圧を印加して、液晶表示パネル１０に所望の画像情報を表示させる制御を行う。
【００１６】
電源供給回路６０は、信号ドライバ２０に対して電圧ＶＤＤ、ＶＳＳ、ＶＳＨを供給するとともに、走査ドライバ３０に対して電圧ＶＤＤ、ＶＳＳ、ＶＧＨを供給する。また、チャージポンプ回路７０は、電圧ＶＤＤ、ＶＳＳ、ＶＧＨ、及び、垂直制御クロックＣＫｖに基づいて、電圧ＶＧＬを生成し、走査ドライバ３０に供給する。
ここで、信号ドライバ２０及び走査ドライバ３０に個別に供給される各電圧ＶＤＤ、ＶＳＳ、ＶＳＨ、ＶＧＨ、ＶＧＬは、信号ドライバ２０及び走査ドライバ３０の駆動制御や、液晶表示パネル１０の表示出力に必要な所定の駆動電圧及び信号電圧である。詳しくは、従来技術において説明したものと同様に、電圧ＶＧＨは、ゲートパルスのハイレベル側の信号電圧（ＯＮ電圧：正電圧）であり、電圧ＶＧＬは、ゲートパルスのローレベル側の信号電圧（ＯＦＦ電圧：負電圧）であり、電圧ＶＤＤは、信号ドライバ２０及び走査ドライバ３０における論理駆動電圧（例えば、５Ｖ）であり、電圧ＶＳＨは、信号ドライバ２０の信号出力回路の駆動電圧である。
【００１７】
次いで、電源供給回路６０及びチャージポンプ回路の概略構成について説明する。
図２に示すように、電源供給回路６０は、接地電位（０Ｖ）に負電極側が接続された個別の電源Ｖ１、Ｖ２、Ｖ３を有して構成され、電源Ｖ１により設定される電圧ＶＧＨが信号ドライバ２０及び走査ドライバ３０に供給され、電源Ｖ２により設定される電圧ＶＤＤが走査ドライバ３０に供給され、電源Ｖ３により設定される電圧ＶＳＨが信号ドライバ２０に供給され、接地電位を有する電圧ＶＳＳが信号ドライバ２０及び走査ドライバ３０に供給される。さらに、本実施形態においては、電圧ＶＧＨ、ＶＤＤ、ＶＳＳがチャージポンプ回路にも供給される。
【００１８】
一方、チャージポンプ回路７０は、接地電位を有する電圧ＶＳＳと出力接点Ｎoutとの間に、直列に接続されたスイッチＳＷＢ１、コンデンサＣ１、スイッチＳＷＢ２、コンデンサＣ２、スイッチＳＷＢ３を順次直列に接続して構成される第１の充電回路（充電手段、スイッチ手段）と、第１の充電回路とは個別に、電圧ＶＳＳと出力接点Ｎoutとの間に接続されたコンデンサＣ３から構成される第２の充電回路とを有して構成されている。
【００１９】
また、スイッチＳＷＢ１とコンデンサＣ１との接点Ｎ１には、他端側に電源Ｖ１により供給される電圧ＶＧＨが印加されたスイッチＳＷＡ１が接続され、コンデンサＣ１とスイッチＳＷＢ２との接点Ｎ２には、他端側に電圧ＶＳＳが印加されたスイッチＳＷＡ２が接続され、スイッチＳＷＢ２とコンデンサＣ２との接点Ｎ３には、他端側に電源Ｖ２により供給される電圧ＶＤＤが印加されたスイッチＳＷＡ３が接続され、コンデンサＣ２とスイッチＳＷＢ３との接点Ｎ４には、他端側に電圧ＶＳＳが印加されたスイッチＳＷＡ４が接続されている。
さらに、出力接点Ｎoutにおいて生成、出力される電圧ＶＧＬは、ゲートパルスのローレベル側の信号電圧として、走査ドライバ３０に供給される。
【００２０】
次に、上述した構成を有する電源供給回路６０及びチャージポンプ回路７０の動作について、図面を参照して説明する。
図３は、チャージポンプ回路の動作を示す状態遷移図である。
まず、図３（ａ）に示すように、スイッチＳＷＡ１〜ＳＷＡ４のＯＮ動作に同期して、スイッチＳＷＢ１〜ＳＷＢ３をＯＦＦ動作させることにより、コンデンサＣ１の両端には、各々電圧ＶＧＨ及びＶＳＳが印加され、コンデンサＣ２の両端には、各々電圧ＶＤＤ及びＶＳＳが印加される。すなわち、コンデンサＣ１、Ｃ２は、個別に所定の電圧に接続される。
これにより、コンデンサＣ１には電圧ＶＧＨ−ＶＳＳ間の電位差に相当する電荷が時間の経過に伴って蓄積され、一方、コンデンサＣ２には電圧ＶＤＤ−ＶＳＳ間の電位差に相当する電荷が時間の経過に伴って蓄積される。
【００２１】
次いで、図３（ｂ）に示すように、スイッチＳＷＡ１〜ＳＷＡ４のＯＦＦ動作に同期して、スイッチＳＷＢ１〜ＳＷＢ３をＯＮ動作させることにより、コンデンサＣ１、Ｃ２、及び、コンデンサＣ３が直列状態に接続される。
このとき、コンデンサＣ１，Ｃ２は接地電位を有する電圧ＶＳＳと出力接点Ｎoutとの間に接続されているため、出力接点Ｎoutから出力される電圧ＶＧＬは蓄積された電荷に相当する逆極性の電圧となり、コンデンサＣ１、Ｃ２に蓄積された電荷に相当する電圧の総和（ＶＧＨ＋ＶＤＤ）を有するとともに、極性が反転された、−（ＶＧＨ＋ＶＤＤ）の負電圧として出力される。この電圧ＶＧＬが走査ドライバ３０に供給されるとともにコンデンサＣ３に充電される。
【００２２】
次いで、再び、図３（ａ）に示すように、スイッチＳＷＡ１〜ＳＷＡ４のＯＮ動作に同期して、スイッチＳＷＢ１〜ＳＷＢ３をＯＦＦ動作させることにより、コンデンサＣ１及びＣ２の各々に、電圧ＶＧＨ−ＶＳＳ及び電圧ＶＤＤ−ＶＳＳが印加され、充電動作が実行される。
以上のような、コンデンサＣ１、Ｃ２への個別充電、直列接続状態への切り換え、コンデンサＣ３への充電及び出力接点Ｎoutへの出力、という一連の動作が繰り返されることにより、負電圧ＶＧＬ＝−（ＶＧＨ＋ＶＤＤ）が安定して走査ドライバ３０へ供給される。
本実施形態に係る表示駆動装置によれば、電源供給回路６０における電源を削減しつつ、３電圧ＶＧＨ（正電圧）、ＶＤＤ（正電圧）及びＶＳＳ（０Ｖ）から、所望の負電圧ＶＧＬを生成して走査ドライバ３０に供給することができるので、電源供給回路の構成を簡略化して回路規模を小型化することができるとともに、製品コストの削減を図ることができる。
【００２３】
次に、本実施形態に係る表示駆動装置に適用されるチャージポンプ回路の具体構成について、図面を参照して説明する。
図４は、本実施形態に係る表示駆動装置に適用されるチャージポンプ回路の具体構成例を示す回路図である。
図４に示すように、チャージポンプ回路は、電圧ＶＳＳと出力接点Ｎoutとの間に、直列に接続されたＭＯＳスイッチＳＷＢ１１、コンデンサＣ１１、ＭＯＳスイッチＳＷＢ１２、コンデンサＣ１２、ＭＯＳスイッチＳＷＢ１３と、上記コンデンサ群及びスイッチ群とは個別に、電圧ＶＳＳと出力接点Ｎoutとの間に接続されたコンデンサＣ１３と、ＭＯＳスイッチＳＷＢ１１とコンデンサＣ１１との接点Ｎ１１に一端側が接続されたＭＯＳスイッチＳＷＡ１１と、コンデンサＣ１１とＭＯＳスイッチＳＷＢ１２との接点Ｎ１２に一端側が接続されたＭＯＳスイッチＳＷＡ１２と、ＭＯＳスイッチＳＷＢ１２とコンデンサＣ１２との接点Ｎ１３に一端側が接続されたＭＯＳスイッチＳＷＡ１３と、コンデンサＣ１２とＭＯＳスイッチＳＷＢ１３との接点Ｎ１４に一端側が接続されたＭＯＳスイッチＳＷＡ１４と、を有している。
【００２４】
ここで、ＭＯＳスイッチＳＷＡ１１、ＳＷＡ１２、ＳＷＡ１３、ＳＷＡ１４は、ＰＭＯＳトランジスタにより構成され、一方、ＭＯＳスイッチＳＷＢ１１、ＳＷＢ１２、ＳＷＢ１３は、ＮＭＯＳトランジスタにより構成され、各々のゲートには、垂直制御クロックＣＫｖが印加されている。
また、ＭＯＳスイッチＳＷＡ１１の他端側には電圧ＶＧＨが供給され、ＭＯＳスイッチＳＷＡ１２の他端側には電圧ＶＳＳが供給され、ＭＯＳスイッチＳＷＡ１３の他端側には電圧ＶＤＤが供給され、ＭＯＳスイッチＳＷＡ１４の他端側には電圧ＶＳＳが供給されている。
【００２５】
このような構成を有するチャージポンプ回路における動作は、図３に示したものと同様に、まず、垂直制御クロックＣＫｖがローレベルの場合には、ＭＯＳスイッチＳＷＡ１１〜ＳＷＡ１４がＯＮ動作するとともに、ＭＯＳスイッチＳＷＢ１１〜ＳＷＢ１３がＯＦＦ動作して、コンデンサＣ１１、Ｃ１２に各々電圧ＶＧＨ−ＶＳＳ間電位差、及び、電圧ＶＤＤ−ＶＳＳ間電位差に相当する電荷が蓄積される。
次いで、垂直制御クロックＣＫｖがハイレベルになると、ＭＯＳスイッチＳＷＡ１１〜ＳＷＡ１４がＯＦＦ動作するとともに、ＭＯＳスイッチＳＷＢ１１〜ＳＷＢ１３がＯＮ動作して、コンデンサＣ１１、Ｃ１２に蓄積された電荷による電圧が出力接点Ｎoutを介して負電圧ＶＧＬとして出力されるとともに、コンデンサＣ１３に充電される。
【００２６】
そして、垂直制御クロックＣＫｖのハイ、ローサイクルに対応して、コンデンサＣ１１、Ｃ１２への充電、コンデンサＣ１３への充電及び出力接点Ｎoutへの出力、という一連の動作を順次繰り返すことにより、所望の負電圧ＶＧＬが安定して走査ドライバ３０へ供給される。
ここで、生成された負電圧ＶＧＬが供給される走査ドライバ３０は、走査ラインに接続されたＴＦＴのゲートに走査信号を順次印加して選択状態とする、という容量性の負荷を有し、負荷の駆動に際し、電流の流下がほとんどないので、チャージポンプ回路７０により生成された電源（電圧ＶＧＬ）を良好に使用することができる。
なお、図４に示した回路構成は、チャージポンプ回路の一例を示すものであって、他の構成を有するものであってもよいことはいうまでもない。要するに、垂直制御クロックＣＫｖのハイ、ローサイクルに対応して、コンデンサへの充電と、出力接点への出力という一連の動作を順次繰り返して、所望の電圧を得ることができるものであれば良好に適用することができる。
【００２７】
このような回路構成を有するチャージポンプ回路によれば、走査ドライバ３０に供給される垂直制御クロックＣＫｖに基づいて、ＭＯＳスイッチＳＷＡ１１〜ＳＷＡ１４、及び、ＳＷＢ１１〜ＳＷＢ１３を切り換え制御することにより、コンデンサＣ１１〜Ｃ１３の接続状態を切り換えることができるので、液晶表示装置が形成されるガラス基板等の絶縁性基板上に、液晶表示パネル部及び信号、走査ドライバを構成する容量素子や駆動素子とともに、チャージポンプ回路を設けることができ、表示モジュールとして一体的に構成することができる。特に、上述した実施形態においては、走査ドライバに供給される電圧及びクロックに基づいて、所望の電圧を生成することができるので、チャージポンプ回路自体を走査ドライバ内部に設けることもできる。ここで、チャージポンプを構成するＭＯＳスイッチ及びコンデンサは、液晶表示パネルや信号、走査ドライバを構成するＭＯＳトランジスタやコンデンサと同一の製造工程により形成することができることはいうまでもない。
【００２８】
なお、本実施形態においては、表示モジュール内、あるいは、走査ドライバ内に設けられたチャージポンプ回路を用いて、電源供給回路から供給される電圧ＶＧＨ、ＶＤＤ、ＶＳＳ（０Ｖ）を加算、極性反転して、負電圧ＶＧＬを生成する場合について説明したが、本発明は、これに限定されるものではなく、複数の電源電圧の一つ、あるいは、任意の組み合わせにより、所望の電圧を生成することができるものであることはいうまでもない。
すなわち、上記電圧ＶＧＨ、ＶＤＤ、ＶＳＳ（０Ｖ）に替えて、電源供給回路から供給される電圧ＶＤＤ、ＶＳＨ、ＶＳＳを加算して、正電圧ＶＧＨ（＝ＶＤＤ＋ＶＳＨ）を生成するものであってもよいし、さらに他の電源電圧を用いて、加減算や極性反転する構成を有するものであってもよい。
また、本実施形態においては、電源供給回路から供給される電圧ＶＧＨ、ＶＤＤ、ＶＳＳ（０Ｖ）を加算、極性反転して、走査ドライバに供給するための電圧ＶＧＬを生成する場合について説明したが、本発明は、これに限定されるものではなく、他の負荷を駆動するための電源を生成する手段として良好に適用することができることはいうまでもなく、信号ドライバに供給するための電圧を生成するようにしてもよい。その場合には信号ドライバ内にチャージポンプ回路を設けるようにしてもよい。
なお、本実施形態においては、表示パネルをアクティブマトリックス型液晶表示パネルとしたが、本発明はこれに限定されるものではなく、ＳＴＮ液晶表示パネル等、駆動に複数の電源電圧を必要とする表示パネルに対して同様に適用することができる。
【００２９】
【発明の効果】
請求項１記載の発明によれば、表示パネルを駆動するための駆動手段と、該駆動手段を駆動するための、所定の基準電位に対して複数の異なる電位差を有する第１の複数の異なる電圧を供給する電源供給手段と、複数のコンデンサが設けられたチャージポンプ回路を有し、前記第１の複数の異なる電圧が供給されて前記各電位差が前記各コンデンサに充電され、該各コンデンサ間の接続を切り換えることにより前記各電位差を加算または減算して、前記第１の複数の電圧と異なる第２の電圧を生成して前記駆動手段に供給する電圧生成手段とを有しているので、電源供給手段が備える電源の数を削減することができるとともに、電圧生成手段において、所望の電圧を生成するためのチャージポンプ回路の回路構成を簡略化することができ、回路規模の小型化、製品コストの削減を図ることができる。
【００３０】
請求項２又は３記載の発明によれば、電圧生成手段における前記チャージポンプ回路が、前記各コンデンサと前記第１の複数の異なる電圧間および該各コンデンサ間の接続を切り換えるための、電界効果型トランジスタにより構成されるスイッチ手段を有して構成されているので、表示パネルや駆動手段を構成する容量素子や駆動素子と同一の工程により形成することができ、電圧生成手段を表示モジュール内に小型集積化して搭載することができる。
【図面の簡単な説明】
【図１】本発明に係る表示駆動装置の一実施形態を示す概略構成図である。
【図２】一実施形態に係る表示駆動装置に適用される電圧供給手段の構成を示す概略図である。
【図３】一実施形態に係る表示駆動装置に適用されるチャージポンプ回路の動作を示す状態遷移図である。
【図４】一実施形態に係る表示駆動装置に適用されるチャージポンプ回路の具体構成例を示す回路図である。
【図５】従来技術における表示駆動装置を示す概略構成図である。
【図６】従来技術における電源供給回路の構成を示す回路図である。
【符号の説明】
１０      液晶表示パネル
２０      信号ドライバ
３０      走査ドライバ
４０      ＲＧＢデコーダ
５０      ＬＣＤコントローラ
６０      電源供給回路
７０      チャージポンプ回路
１００    表示モジュール
【図１】
0003968925.tif 000002
【図２】
0003968925.tif 000003
【図３】
0003968925.tif 000004
【図４】
0003968925.tif 000005
【図５】
0003968925.tif 000006
【図６】
0003968925.tif 000007